(57)【特許請求の範囲】
【請求項１】
透光性を有した特定色の単一の着色シートにおける前記特定色に対して補色系統にある色彩で筆記可能な、印刷文字を包含する着色箇所を形成すべく太塗り部を有する第一のペン先と、
前記特定色に対して同色系統にある色彩で筆記可能な前記第一のペン先による筆記よりも細い線を筆記すべく構成された第二のペン先と、
これら第一のペン先及び第二のペン先を取り付ける単一のボディと
を具備してなる暗記用ペン。
【請求項２】
前記ペンが、前記着色シートが有する赤系統の特定色に対する補色系統にある緑系統の色彩で筆記可能な前記第一のペン先を有している請求項１記載の暗記用ペン。
【請求項３】
前記第二のペン先が、前記特定色よりも明度が高い色彩で筆記可能である請求項１又は２記載の暗記用ペン。
【請求項４】
請求項１、２又は３記載の暗記用ペンと、
前記第一のペン先により筆記され着色された着色箇所の色を消す消色液を塗布することができる第三のペン先を有する消色ペンと
を具備してなる暗記用ペンセット。
【請求項５】
前記消色液が、前記第二のペン先により筆記された箇所の色を消し得ないものである請求項４記載の暗記用ペンセット。
【請求項６】
前記第三のペン先が前記第一のペン先に対し略同じ形状をなすとともに、前記第二のペン先が前記第一、第三のペン先とは異なる形状をなす請求項４又は５記載の暗記用ペンセット。
【請求項７】
前記第三のペン先が、前記第一のペン先よりも大きく設定されるとともに前記第一のペン先よりも太い線を筆記し得るようにしている請求項４、５又は６記載の暗記用ペンセット。
【請求項８】
透光性を有した特定色の単一の着色シートと、請求項１、２又は３記載の暗記用ペンとを具備してなる暗記用ペンセット。
【請求項９】
前記着色シートが、シート本体と、このシート本体に設けられこのシート本体とともに紙葉類を挟持し得る挟持片を形成すべくシート本体の一部を切り欠いたスリットとを有するものであり、
前記シート本体が、当該シート本体及び前記挟持片により前記紙葉類の縁部を挟持したときに前記紙葉類に対し平面視はみ出し得る露出領域と前記紙葉類に対し平面視重複する挿入領域とを有している請求項８記載の暗記用ペンセット。
【請求項１０】
前記着色シート及び前記暗記用ペンを保持し得る台紙を具備しているものであり、
この台紙が、前記着色シートを表裏から挟み込んで収容するシート収容部と、前記暗記用ペンを保持するペンホルダとを有している請求項８又は９記載の暗記用ペンセット。
【発明の詳細な説明】
【技術分野】
【０００１】
本発明は、特定の色彩を呈した透光性を有する着色シートをペンで筆記した箇所に重ね合わせて当該箇所を見えないようにすることができる暗記用ペンセットに関するものである。
【背景技術】
【０００２】
従来、特定の色彩である特定色を呈した透光性を有する着色シートをペンにより筆記された箇所に重ね合わせることにより筆記した箇所を容易に視認し得ないようにすることで、例えば学習に際しての暗記作業に利用することができる暗記用ペンセットが提案されている。ここで、上記のような着色シートを用いて暗記作業といった学習を行う場合以下の２通りの態様がある。
【０００３】
前者の態様としては、上記特定色に対する補色系統の色彩を呈するペン先を利用して、例えば通常の黒色で既に印刷された文字を半透明のインクにより塗りつぶすように筆記する態様が挙げられる。斯かる態様によれば筆記された箇所はそのまま見れば半透明のインクにより強調されるように視認される一方、着色シート越しに見れば当該箇所全体が黒く塗りつぶされたように見え、視認できない。
【０００４】
そして、後者の態様としては、下記特許文献に開示されているように、上記特定色と同系統の色彩を呈するペン先を利用して、未だ印刷されていない紙面上に使用者が併せて覚えたい内容や注意書きといった文字等を記載する態様が挙げられる。斯かる態様によれば筆記された箇所を着色シート越しに見れば当該箇所は着色シートの色彩に紛れてしまい、一見何も記載されていないように使用者には見える。
【０００５】
ここで近年、上記のような暗記作業を行う使用者の間では上記前者、後者の何れかの態様のみを利用するのではなく、両者の態様を併用する、換言すれば、同じ本やノートの紙面といった対象面上で両者の態様を適宜使い分け、より一層の学習効率の向上を望むといった傾向が強くなってきている。
【先行技術文献】
【特許文献】
【０００６】
【特許文献１】特開昭５７−０３７３８９号公報
【発明の概要】
【発明が解決しようとする課題】
【０００７】
しかしながら、上記したような暗記用ペンセットは、暗記用ペンも着色シートも仕様が様々であり、上記両者の態様を併用しようとする使用者は、着色シート又は暗記用ペンの少なくとも何れかを複数所持しなければならず、使用者によってはこれら着色シート及び暗記用ペンの取り扱いが煩雑なものに感じられ、当該複数の着色シート及び複数の暗記用ペンの取り扱い作業自体がかえって学習効率の向上の妨げになると感じられてしまうこともある。
【０００８】
本発明は、このような点に着目したものであり、使用者による容易な取り扱いを実現して学習効率の向上に資する暗記用ペン及び暗記用ペンセットを提供することを目的としている。
【課題を解決するための手段】
【０００９】
本発明は、このような目的を達成するために、次のような手段を講じたものである。
【００１０】
すなわち本発明に係る暗記用ペンは、透光性を有した特定色の単一の着色シートにおける前記特定色に対して補色系統にある色彩で筆記可能な、印刷文字を包含する着色箇所を形成すべく太塗り部を有する第一のペン先と、前記特定色に対して同色系統にある色彩で筆記可能な前記第一のペン先による筆記よりも細い線を筆記すべく構成された第二のペン先と、これら第一のペン先及び第二のペン先を取り付ける単一のボディとを具備してなることを特徴とする。
【００１１】
ここで「筆記」とは紙などの対象面に文字を記載する態様に限られず、対象面の一定の領域を塗りつぶす、換言すれば塗布していく態様や、一定のパターンや特定の形状、模様を描画する態様をも含む概念である。
【００１２】
このようなものであれば、着色シートが呈する特定色に対して補色系統にある色彩による筆記を利用する作業であっても同色系統にある色彩による筆記を利用する作業であっても、同じ一枚の着色シート及び一本の暗記用ペンによって行うことができる。これにより、学習時に多数のペンやシートを取り扱うという煩雑さを有効に回避することができる。その結果、容易な取り扱いを実現して学習効率の向上にも資する暗記用ペンを実現することが可能となる。
【００１３】
使用者にとって利用し易い態様の一例として、着色シートが有する赤系統の特定色に対する補色系統にある緑系統の色彩で筆記可能な第一のペン先を有するものとしている態様を挙げることができる。
【００１４】
また、第二のペン先により筆記した内容を着色シートの被覆により、より視認し難くするための態様として、第二のペン先を、特定色よりも明度が高い色彩で筆記可能なものとすることが望ましい。これは、特定色と同じ色彩にて筆記したものであると、着色シート被覆した際に、筆記した箇所の明度が著しく低くなるので筆記した内容が見えてしまうという傾向に鑑みたものである。
【００１５】
そして、第一のペン先の利用により使用者が既に暗記できた箇所においては第一のペン先による着色箇所を消去したいという使用者の要望に応えるべく本発明に係る暗記用ペンセットは、上述した暗記用ペンと、この暗記用ペンの第一のペン先により筆記され着色された着色箇所の色を消す消色液を塗布することができる第三のペン先を有する消色ペンとを具備することを特徴とする。
【００１６】
また消色液が、第二のペン先により筆記された箇所の色を消し得ないものであれば、消色ペンの利用が上記第二のペン先による筆記を誤って消してしまうことを避けたいという使用者の要望を有効に満たすことができる。
【００１７】
そして、消色ペンが第一のペン先による筆記のみを消し得るという点を使用者に認識させ易くして、より効率の高い使用を促したい場合は、第三のペン先を第一のペン先に対し略同形状とするとともに、第二のペン先が第一、第三のペン先とは異なる形状とすれば良い。
【００１８】
加えて、第一のペン先による筆記を容易且つ確実に消し得るようにするためには、前記第三のペン先が、前記第一のペン先よりも大きく設定されるとともに前記第一のペン先よりも太い線を筆記し得るようにすることが望ましい。
【００１９】
さらに、本実施形態に係る暗記用ペンセットは、透光性を有した特定色の単一の着色シートと、上述した暗記用ペンとを具備してなることを特徴とする。
【００２０】
また、着色シートを誤って紛失したり、ノートや書籍を構成する複数枚積層された紙葉類間に紛れたりしてしまうという不具合を回避し、学習効率の向上に資する着色シートの一例として着色シートが、シート本体と、このシート本体に設けられこのシート本体とともに紙葉類を挟持し得る挟持片を形成すべくシート本体の一部を切り欠いたスリットとを有するものであり、シート本体が、当該シート本体及び挟持片により紙葉類の縁部を挟持したときに紙葉類に対し平面視はみ出し得る露出領域と紙葉類に対し平面視重複する挿入領域とを有している態様を挙げることができる。
【００２１】
そして、出荷時に着色シート及び暗記用ペンをひとまとめにして輸送したり、販売店舗にてこれらをひとまとめにして陳列したりして、使用者の任意に応じて容易に使用することができる態様として、着色シート及び暗記用ペンを保持し得る台紙を具備しているものであり、この台紙が、着色シートを表裏から挟み込んで収容するシート収容部と、暗記用ペンを保持するペンホルダとを有している態様を挙げることができる。
【発明の効果】
【００２２】
本発明によれば、容易な取り扱いを実現して学習効率の向上に資する暗記用ペン及び暗記用ペンセットを提供することができる。
【図面の簡単な説明】
【００２３】
【図１】本発明の一実施形態に係る外観図。
【図２】同実施形態に係る構成説明図。
【図３】同上。
【図４】同実施形態に係る作用説明図。
【図５】同上。
【図６】同上。
【図７】同上。
【図８】同上。
【図９】同上。
【図１０】同上。
【図１１】同上。
【図１２】同上。
【発明を実施するための形態】
【００２４】
以下、本発明の一実施の形態について図面を参照して説明する。
【００２５】
本実施形態に係る暗記用ペンセットＡは、例えば参考書ＢやノートＮ（図４、図５）に印刷されている印刷文字ＰＬや使用者自身が筆記した記載を着色シート１越しで視認不能とした状態とし、使用者が当該視認不能とした箇所を意識的に暗記するといった、所謂暗記学習のための用いられるものである。
【００２６】
当該暗記用ペンセットＡは、図１に示すように、例えば二つ折りされた厚紙からなる台紙４に、着色シート１が挟まれ且つ、台紙４の表面板４１側に、ペン２及び消色ペン３を保持した状態で出荷時の輸送や販売店舗での陳列に好適に対応できるようにしてある。
【００２７】
ここで、本実施形態に係る暗記用ペンセットＡは、透光性を有した特定色たる赤色の着色シート１と、赤色に対して補色系統にある緑色で筆記可能な第一のペン先２１および赤色に対して同色系統にあるオレンジ色で筆記可能な第二のペン先２２を共通のボディ２０に設けてなる暗記用ペンたるペン２とを具備してなるものである。以下、これら暗記用ペンセットＡを構成する各構成要素について説明していく。
【００２８】
着色シート１は、本実施形態では例えば赤系統の特定色を有し、且つ透光性を有するものである。この着色シート１は、例えば透明性樹脂中に着色剤を含有させて成形したシート状物、或いは、透明性樹脂により成形したシート状物を着色したものである。本実施形態では当該着色シート１の大きさは一例として使用者にとっての取り扱いのし易さを鑑みた大きさにしてある。具体的には、殆どのノートＮや参考書Ｂに対して使用し得ることや台紙４に収容され得る大きさを想定し、ＪＩＳに規定されているＡ６版サイズ程度の大きさに設定されているが勿論、その大きさや厚みは特に限定されるものではない。
【００２９】
当該着色シート１は、図２、図３及び図４に示すように、折り返し部分のない単葉状をなすシート本体１０と、このシート本体１０に設けられこのシート本体１０とともに紙葉類たる紙Ｐを挟持し得る挟持片１４を形成すべくシート本体１０の一部を切り欠いたスリット１１とを有するものである。そしてシート本体１０は、シート本体１０及び挟持片１４により紙Ｐの縁部を挟持したときに紙Ｐに対し平面視はみ出し得る露出領域１２と紙Ｐに対し平面視重複する挿入領域１３とを有している。すなわち本実施形態ではシート本体１０を折り返し部分のない単葉状をなすようにしているので、スリットの上側たる一端側がそのまま露出領域１３、他端側たる下側がそのまま挿入領域１４となるようにしてある。また折り返し部分が無いということは露出領域１３が不要に折り返されて紙葉類１３から露出することもない。スリット１１は、平面視概略Ｃ字状に素材を切り起こすことにより当該スリット１１の内側を周縁から厚み方向に動作し得る挟持片１４を形成している。そして当該スリット１１の両端近傍に下方へ向かう概略湾曲折り返し形状とした当接端１５を形成することで、スリット１１の縁が裂けてしまう可能性を排除している。また当接端１５は湾曲形状に形成されることで、挟持片１４が紙Ｐを挟んだときであっても紙Ｐの縁部を損傷させることはない。
【００３０】
しかしてペン２は、暗記用ペンに相当するものであり、透光性を有した特定色の着色シート１における特定色に対して補色系統にある色彩で筆記可能な第一のペン先２１と、特定色に対して同色系統にある色彩で筆記可能な第二のペン先２２と、これら第一のペン２１先及び第二のペン先２２を取り付ける単一のボディ２０とを具備してなることを特徴としている。
【００３１】
ペン２は、相異なる形態且つ色調のペン先２１、２２を一端２ａ及び他端２ｂにそれぞれ装着させた、所謂ツインタイプの筆記具である。このペン２は、緑系統の色彩で筆記可能な一端２ａに配された第一のペン先２１と、他端２ｂに配され着色シート１が呈する特定色である赤色よりも明度が高い色彩であるオレンジ色で筆記可能である第二のペン先２２と、これら両ペン先２１、２２を支持しているボディ２０と、第一のペン先２１を被覆すべくボディ２０に着脱可能に配される第一キャップ２８と、第二のペン先２２を被覆すべくボディ２０に着脱可能に被覆配される第二キャップ２９とを有している。そして第一のペン先２１には緑系統の色を呈する第一のインク２３が保持されるとともに、第二のペン先２２にはオレンジ色を呈する第二のインク２４が保持されてなる。本実施形態では、第一のペン先２１及び第二のペン先２２は本実施形態では共に、毛細間隙が形成された繊維加工体、繊維の樹脂加工体、熱溶融性繊維の融着加工体、フェルト体等の連通気孔の多孔質部材、プラスチック材の軸方向にインク溝を形成したプラスチック芯、各種プラスチック粉末などを焼結した焼結芯（ポーラス体）等からなるものとしている。
【００３２】
第一のペン先２１は、円筒形状の先端が断面視例えば鋭角をなすように切り欠かれることにより傾斜方向に稜線が形成される所謂チゼル形状をなすものである。当該チゼル形状に成形することにより第一のペン先２１は、塗布対象或いは筆記対象である紙Ｐへの当接位置を変えることで先端縁２５を当接させて細書き用、或いは上記稜線から切り欠き面に亘って形成された太塗り部２６を当接させて太書き用として使用することができる。
【００３３】
第二のペン先２２は、第一のペン先２１とは異なる形状をなすものであり、ペン２の他端２ｂ側において概略円錐形状に成形されその尖端２７及びその付近にのみ第二のインク２４を吐出し得るようにして、第一のペン先２１による筆記よりも細い線を筆記し易くしたものである。
【００３４】
ボディ２０は、一端２ａ及び他端２ｂ側にそれぞれ第一、第二のペン先２１、２２を位置付けるとともに第一、第二キャップ２８、２９を着脱可能に装着し得る円筒形状をなすものである。このボディ２０は、第一、第二のペン先２１、２２に保持される第一、第二のインク２３、２４をそれぞれ絶対に混合させないように保持すべく、内部に２つに分かれた繊維集束体からなるインク吸蔵体を内蔵し、第一、第二のペン先２１、２２をそれぞれ直接或いは中継部材を介して連結させることにより、所謂マーキングペンの構成の一部を担うものであるが、当該ボディ２０内部の構成は既存の種々の構成を適用し得るために省略する。なお、第二のペン先２２は例えば、上記態様の他、ボールペンとしての態様を適用することができる。この場合図示しないが、尖端２７に相当する箇所には回転可能に構成されたボールを保持させるとともにボディ２０内には第二のインク２４を充填したインク収容管を配し、該インク収容管はボールを先端部に装着したチップ状の第二のペン先２２に連通しており、さらにインキの端面には逆流防止用の液栓が密接しているといった既存のボールペンとしての構造を例示できる。
【００３５】
第一のインク２３は、図６〜図８及び図１１に示すように、本実施形態では、着色シート１が呈する特定色である赤色に対し、補色に相当する緑系統の色彩を呈するとともに、紙Ｐへの記載による着色箇所Ｃが印刷文字ＰＬを包含する場合には印刷文字ＰＬの周辺が緑色を呈することにより強調されたように見えるようにしてある。そしてこの第一のインク２３は、着色箇所Ｃが消色ペン３により上書きされたときには透明となるとともに、消色ペン３により筆記或いは塗布された消色箇所Ｄへ上書きしようとしても消色してしまうという態様をなす。具体的には、当該第一のインク２３は、ｐＨが高くなる条件下では色彩が消えてしまう材料を主体としている。
【００３６】
第二のインク２４は、図９、図１０及び図１２に示すように本実施形態では、着色シート１が呈する特定色である赤系統の色彩ではあるが、当該着色シート１の赤色よりも明度が高い色彩であるオレンジ色を呈している。また当該第二のインク２４は、本実施形態では印刷文字ＰＬに上書きしても印刷文字ＰＬの見え方に何ら影響を与えない態様のものを適用しているが、印刷文字ＰＬに優先してオレンジ色を呈する、所謂上書き可能な態様のものとしてもよい。そして本実施形態では、この第二のインク２４は第一のインク２３とは異なり、消色ペン３により上書きされてもオレンジ色に変化は現れず、消色ペン３により筆記或いは塗布された消色箇所Ｄに上書きをすることもできる。
【００３７】
消色ペン３は、第一のペン先２１により筆記され着色された着色箇所Ｃの色を消す消色液３３を塗布することができる第三のペン先３１を有するものである。この消色ペン３は、消色液３３を塗布可能な第三のペン先３１と、この第三のペン先３１を保持する他のボディ３０と、第三のペン先３１を被覆すべく他のボディ３０に対して着脱可能に構成される白色半透明に着色された第三キャップ３８とを有している。
【００３８】
第三のペン先３１は、本実施形態では第一のペン先２１と略同形状であるチゼル形状をなす、先端縁３５及び太塗り部３６を有するものである。すなわち第二のペン先２２とは異なる形状をなす。太塗り部３６は、第一のペン先２１の太塗り部２６により筆記される線よりも太い線を筆記し得る。なお、第三キャップ３８は第一キャップ２８と略同じ形状である。そしてボディ２０はその内部に消色液３３を保持し得る構成をなすものであるが、当該構成は上記ボディ２０が第一のインク２３を保持する態様と同じ既存の構成であるため説明を省略する。
【００３９】
消色液３３は、本実施形態では第一のインク２３の態様に応じて設定されたもので第一のインク２３による着色箇所Ｃへ上書きされることにより第一のインク２３の着色を消し得るとともに当該消色液３３により塗布された消色箇所Ｄへ第一のインク２３を塗布すなわち第一のペン先２１により筆記しても緑色を呈さないようにしている。すなわち当該消色液３３は、本実施形態では、塗布後に塗布対象から蒸発し得る溶媒３３ｂと、この溶媒３３ｂに溶解してなり且つ第一のペン先２１により筆記される第一のインク２３の色を消し得る消色剤３３ａとを有するものであり、この消色剤３３ａが、塗布後に塗布対象である紙Ｐ上に残存するようにしてある。本実施形態では消色剤３３ａを例えば色彩を呈さないすなわち透明度が高く、且つ、第一のインク２３よりもｐＨが高い材質を用いている。そして溶媒３３ｂは、消色剤３３ａを溶解させることが可能であり、且つ第三のペン先３１による塗布後、紙Ｐに皺を形成させることなく速やかに蒸発或いは揮発し得る液体からなる。これら消色剤３３ａ並びに溶媒３３ｂは既存の種々のものを適用し得るため、詳細な説明を省略する。
【００４０】
台紙４は、店舗での陳列時に着色シート１及びペン２を保持するためのものである。この台紙４は、図２に示すように、幅方向中央に形成した折り線である半折端４ａにて二つ折りされた表面板４１及び裏面板４２を有するものであり、これら両面板４１、４２の裏面間に、着色シート１を挟み収容するシート収容部４０を形成している。この台紙４はまた、半折端４ａの反対側にある開放端４ｂの一部を凹ませることにより着色シート１の一部を外方に露出させるシート露出部４ｃを形成するとともに、上端部には両面板４１、４２を連通するように円形状の開口であるフック孔４ｄを形成しておくことで、例えば店舗での陳列時に吊り下げ用のフックやバーを挿通させて吊り下げておくことができる。この台紙４は、表面板４１により主にペン２及び消色ペン３を保持するとともに、裏面板４２には暗記用ペンセットＡの詳細な使用方法など使用上重要な事項を印刷により記載してある。表面板４１は、シート露出部４ｃが形成されている開放端４ｂ側の領域から上端部分に亘る領域においてこの暗記用ペンセットＡの長所や特長を記載したタイトル面４３と、半折端４ａ近傍においてペン２及び消色ペン３を添設させておくためのペン保持面４４と、このペン保持面４４における紙素材を適宜切り起こすことによりペン２及び消色ペン３を係合保持しておくためのペンホルダ４５とを有している。ペンホルダ４５は、ペン２及び消色ペン３のボディ２０及び他のボディ３０を挿通保持させておくためのペン挿入穴４５ｃを形成しているペン挿入部４５ａと、ペン挿入部４５ａにより仮保持されたペン２及び消色ペン３が幅方向にずれることを抑止するためのペン支持片４５ｂとを有している。裏面板４２は、その略全領域を、商品としての暗記用ペンセットＡに関する説明及び必須の記載を印刷した裏表示面４６としている。この裏表示面４６は、本実施形態では、上端から三分の二程度の領域を、着色シート１、ペン２及び消色ペン３の使用方法を詳細且つ解り易く説明した説明領域４６ａとし、下から三分の一程度の領域には、暗記用ペンセットＡ使用時の注意事項を記載した注意喚起領域４６ｂ及び商品としての出所表示を示す事項等の内容を記載した出所表示領域４６ｃをそれぞれ印刷により設けている。
【００４１】
しかして本実施形態では、これら着色シート１、ペン２及び消色ペン３を組み合わせて用いることで、以下に示すような、効率の高い暗記作業を行うことができる。
【００４２】
まず着色シート１については、本実施形態では特に図４及び図５に示すように、シート本体１０においてスリット１１の当接端１５よりも図示上側の部分が、挟持片１４を利用して紙Ｐに係り合わせているときに必ず平面視紙Ｐの縁部からはみ出す露出領域１２となる。そして当接端１５よりも図示した側の部分が、紙Ｐに平面視重複し、冊子であるノートＮや参考書Ｂに挟まれ得る挿入領域１３となる。これにより、ノートＮや参考書Ｂにおける現時点での学習箇所は露出領域１２を目印として速やかに探し出すことができる。加えて、着色シート１は折り返し部分のない単葉体であるためにノートＮや参考書Ｂに隙間無く挟持され脱落し難くなっているので誤って紛失してしまう可能性を有効に排除している。
【００４３】
そして図６及び図７に示すように、黒色インクにより文字等の一般印刷を施した印刷文字ＰＬや、図示しないが使用者が鉛筆や黒色を呈する他の筆記具により書かれた文字を含む特定範囲を緑色を呈したペン２を用いて筆記することにより着色箇所Ｃを形成し、その後、透光性を有する赤色に着色した着色シート１を載置することによって、着色箇所Ｃの緑色と着色シート１の赤色が混色となった黒色が視覚され、印刷文字ＰＬが不可視状態になる。すなわち、斯かる着色シート１とペン２からなる暗記用ペンセットＡの具体的な使用方法を説明すると、ペン２にて塗布対象である紙Ｐ上に予め形成された印刷文字ＰＬといった黒色印刷像を含む特定範囲に筆記して得られる緑色の筆跡である着色箇所Ｃは図６に示すように、通常の状態では緑色であり、且つ、当該緑色の筆跡を透して印刷文字ＰＬは視認可能である。そして印刷文字ＰＬを含む着色箇所Ｃ上に着色シート１を載置すると、緑色に彩色された箇所は着色シート１の赤色と補色関係により黒色に視覚されるため、着色箇所Ｃ内に存在する印刷文字ＰＬは視認されなくなる。従って、使用者が印刷文字ＰＬのうち、記憶したい印刷文字ＰＬの上に第一のペン先２１を用いて筆記を施した後、着色シート１を載置すると像が視覚不能になるため、暗記に有効である。
【００４４】
そして図８に示すように、例えば使用者によって確実に暗記できたと認識される着色箇所Ｃなど、着色シート１により視認され得なくする必要が無くなった着色箇所Ｃに対しては、消色ペン３を用いることにより容易に消色させることが可能である。具体的に説明すると、第三のペン先３１を用いて着色箇所Ｃに対し消色液３３を塗布すると、溶媒３３ｂは揮発或いは蒸発するものの紙Ｐの表面には第一のインク２３よりも高いｐＨを呈する消色剤３３ａが付着する。これにより第一のインク２３のｐＨも高くなり、その結果当該第一のインク２３の特性により、緑色から透明へと消色する。ここで当該第三のペン先３１は上述した通り第一のペン先２１よりも寸法を大きく設定した、所謂相似形状をなすようにしているため、例えば同図のように太塗り部２６により第一のインク２３が筆記された箇所に対し、使用者が第三のペン先３１の太塗り部３６を使用して同様の線をなぞるように筆記するとき、太塗り部３６の方が太い線を筆記し得る形状であるため、少々第三のペン先３１による筆記が紙Ｐ上の第一のインク２３が筆記或いは塗布された箇所からずれたとしても消色液３３が第一のインク２３を覆うように塗布されるので、第一のインク２３は消色する。
【００４５】
そして本実施形態では、同一の着色シート１及びペン２を用いて、異なる方法での学習作業を行うことができる。すなわち図９に示すように、第二のペン先２２によって記載した記載箇所Ｌは第二のインク２４によりオレンジ色として視認可能である。そして記載箇所Ｌを含む領域上に着色シート１を載置すると、オレンジに彩色された箇所は着色シート１の赤色と同系統であるために紙Ｐにおける周囲の白色を呈している箇所との見分けが困難となるため、記載箇所Ｌはほとんど視認できなくなる。従って、使用者が、記憶したい内容を記載した記載箇所Ｌの上に着色シート１を載置すると像が視覚不能になるため、暗記に有効である。すなわち本実施形態では、使用者は第一のペン先２１に対して支持されるボディ２０を一にする第二のペン先２２を用いることにより２つの態様を適宜使い分けながら有効な暗記作業を行い得る。換言すれば使用者はペン２を持ち替えるだけで且つ同じ着色シート１をそのまま使いながら異なる態様の暗記作業を適宜使い分けることができる。
【００４６】
さらに本実施形態では、図１２に示すように、第二のペン先２２によって記載される第二のインク２４は、消色液３３の影響を何ら受けない。換言すれば、第三のペン先３１により第一のインク２３を消色させる作業中に誤ってオレンジ色を呈した記載箇所Ｌに消色液３３を付着させたとしても、記載箇所Ｌのオレンジ色には何ら変化が現れないため、使用者が誤って必要な記載を消してしまうという不具合を有効に回避し得る。
【００４７】
以上のような構成とすることにより、本実施形態に係る暗記用ペンセットＡは、着色シート１が呈する特定色に対して補色系統にある色彩による筆記を利用する作業並びに同色系統にある色彩による筆記を利用する作業を、同じ一枚の着色シート１及び一本のペン２によって実現している。すなわち、学習時に多数のペン２やシートを取り扱うという煩雑さを有効に回避せしめている。その結果、容易な取り扱いを実現して学習効率の向上にも資する暗記用ペンセットＡを実現している。
【００４８】
使用者にとって利用し易い着色シート１及びペン２の態様として本実施形態では、着色シート１を、赤系統の特定色を有するものとし、ペン２を、緑系統の色彩で筆記可能な第一のペン先２１を有するものとしている。
【００４９】
また、第二のペン先２２により筆記した内容を着色シート１の被覆により、より視認し難くするために本実施形態では、第二のペン先２２を、特定色である赤色よりも明度が高い色彩であるオレンジ色で筆記可能なものとしている。これにより、特定色と同じ赤色にて筆記したものであると、同じ着色シート１を被覆した際に、筆記した箇所の明度が著しく低くなるために筆記内容が見えてしまうところ、オレンジ色を呈する第二のインク２４では斯かる不具合を有効に解消している。
【００５０】
また、第一のペン先２１の利用により使用者が既に暗記できた箇所においては第一のペン先２１による着色箇所Ｃを消去したいという使用者の要望に応えるべく本実施形態では、第一のペン先２１により筆記され着色された着色箇所Ｃの色を消す消色液３３を塗布することができる第三のペン先３１を有する消色ペン３を具備する態様としている。
【００５１】
そして本実施形態では上記消色ペン３を利用するとき、消色液３３が、塗布後に塗布対象から蒸発し得る溶媒３３ｂと、この溶媒３３ｂに溶解してなり且つ第一のペン先２１により筆記される第一のインク２３の色を消し得る消色剤３３ａとを有するものとしている。
【００５２】
また消色液３３が、第二のペン先２２により筆記された箇所の色を消し得ないものとしているので、消色ペン３の利用が上記第二のペン先２２による筆記を誤って消してしまうことを避けたいという使用者の要望にも応えている。
【００５３】
そして、消色ペン３が第一のペン先２１による筆記のみを消し得るという点を使用者に認識させ易くして、より効率の高い使用を促すべく本実施形態では、第三のペン先３１を第一のペン先２１に対し略同形状とするとともに、第二のペン先２２が第一、第三のペン先２１、３１とは異なる形状としている。
【００５４】
特に本実施形態では、第一のペン先２１による筆記を容易且つ確実に消し得るようにするために第三のペン先３１は第一のペン先２１よりも寸法を大きく設定した、所謂相似形状をなすようにしている。これにより第三のペン先３１が、第一のペン先２１よりも太い線を筆記し得るよう太塗り部３６の方が太い線を筆記し得る形状にしている。その結果、使用者が第三のペン先３１の太塗り部３６を使用して同様の線をなぞるように筆記するとき少々第一のインク２３が筆記或いは塗布された箇所からずれたとしても消色液３３が第一のインク２３を覆うように塗布されるので、第一のインク２３は消色する。つまり使用者は第三のペン先３１により慎重に筆記しなくとも、多少ずれても良い程度の容易な姿勢で筆記しても確実に第一のインク２３を消色させ得る。
【００５５】
また、着色シート１を誤って紛失したり、ノートＮや書籍を構成する複数枚積層された紙葉類間に紛れたりしてしまうという不具合を回避し、学習効率の向上に資するために本実施形態では、着色シート１を折り返し部分のない単葉状をなすシート本体１０と、このシート本体１０に設けられこのシート本体１０とともに紙Ｐを挟持し得る挟持片１４を形成すべくシート本体１０の一部を切り欠いたスリット１１とを有するものとし、シート本体１０を、当該シート本体１０及び挟持片１４により紙Ｐの縁部を挟持したときに紙Ｐに対し平面視はみ出し得る露出領域１２と紙Ｐに対し平面視重複する挿入領域１３とを有する態様を適用している。
【００５６】
そして、着色シート１及びペン２をひとまとめに梱包し、出荷時の輸送や販売店舗での陳列に好適に対応できるように本実施形態では、着色シート１及びペン２を保持し得る台紙４を具備しているものとし、この台紙４を、着色シート１を表裏から挟み込んで収容するシート収容部４０と、ペン２を保持するペンホルダ４５とを有しするものとしている。
【００５７】
以上、本発明の実施形態について説明したが、各部の具体的な構成は、上述した実施形態のみに限定されるものではなく、本発明の趣旨を逸脱しない範囲で種々変形が可能である。
【００５８】
例えば上記実施形態では暗記用ペンセットとして、着色シート、暗記用ペン、消色ペン及び台紙を全て揃えた状態を記載したが、着色シート及び暗記用ペンのみにより暗記用ペンセットを構成しても良く、或いは暗記用ペン及び消色ペンのみにより暗記用ペンセットを構成しても良い。換言すれば、台紙は暗記用ペンセットの必須の構成要素ではなく、さらに着色シート及び消色ペンのうち何れか一方が欠落しても本発明の暗記用ペンセットを構成し得る。
【００５９】
そして例えば上記実施形態では暗記用ペンの長手方向一端側及び他端側に第一、第二のペン先をそれぞれ配置した態様を開示したが勿論、第一、第二のペン先をともに一端側に配置しても良い。このようなものであれば、使用者はペンを持ち替えることなくボディを長手方向周りに回転させるだけで第一、第二のペン先を容易に使い分けることができる。
【００６０】
また上記実施形態では着色シートの特定色を赤色、第一のペン先が緑色、第二のペン先がオレンジ色とする態様を開示したが色彩の取り合わせは当該色彩に限定されない。例えば特定色を緑色、第一のペン先が赤色、第二のペン先が黄緑色としても良い。また特定色を青色とすれば、第一のペン先がオレンジ色、第二のペン先が水色としても良い。さらに特定色をオレンジ色とするときは、第一のペン先を紫色、第二のペン先を黄色とすれば良い。加えて、暗記用ペン、消色ペン並びに台紙の具体的な態様は上記実施形態のものに限定されることはなく、既存のものを含め、種々の態様のものを適用することができる。
【００６１】
その他、各部の具体的構成についても上記実施形態に限られるものではなく、本発明の趣旨を逸脱しない範囲で種々変形が可能である。
【産業上の利用可能性】
【００６２】
本発明は特定の色彩を呈した透光性を有する着色シートをペンで筆記した箇所に重ね合わせて当該箇所を見えないようにすることができる暗記用ペンセットとして利用することができる。
【符号の説明】
【００６３】
１…着色シート
１０…シート本体
１１…スリット
１２…露出領域
１３…挿入領域
１４…挟持片
２…暗記用ペン（ペン）
２０…単一のボディ（ボディ）
２１…第一のペン先
２２…第二のペン先
３…消色ペン
３１…第三のペン先
３３…消色液
３３ａ…消色剤
３３ｂ…溶媒
４…台紙
４０…シート収容部
４５…ペンホルダ
Ａ…暗記用ペンセット
Ｃ…着色箇所
Ｌ…第二のペン先により筆記された箇所（記載箇所）
Ｐ…塗布対象（紙）
【図１】
0006606886.tif 000002
【図２】
0006606886.tif 000003
【図３】
0006606886.tif 000004
【図４】
0006606886.tif 000005
【図５】
0006606886.tif 000006
【図６】
0006606886.tif 000007
【図７】
0006606886.tif 000008
【図８】
0006606886.tif 000009
【図９】
0006606886.tif 000010
【図１０】
0006606886.tif 000011
【図１１】
0006606886.tif 000012
【図１２】
0006606886.tif 000013